(57)【要約】【課題】外壁パネル間の溝幅がばらついている場合であっても、目地全体において外壁パネルの端面と乾式材とが密着している状態とすることができ、且つ、そのような状態を長期間にわたって維持することのできる乾式材、及び、これを用いた目地構造を提供すること。【解決手段】乾式材３００は、互いに隣り合う２枚の外壁パネル１００ａ、１００ｂの間に保持され、目地１０の一部となるものである。乾式材３００の幅方向における両端部には、それぞれ、可撓性を有する第一ひれ部３１０ａ，３１０ｂが形成されており、乾式材３００が２枚の外壁パネル１００ａ、１００ｂの間に保持された状態においては、外壁パネル１００ａ、１００ｂの端面に形成された突出部（第一傾斜面１０１ａ、１０１ｂ）によって、第一ひれ部３１０ａ，３１０ｂが屋外側から押圧された状態となる。【選択図】図１
2015025251.tif 000002
【特許請求の範囲】
【請求項１】
互いに隣り合う２枚の外壁パネルの間に保持され、目地の一部となる乾式材であって、
その幅方向における両端部には、それぞれ、可撓性を有するひれ部が形成されており、
２枚の前記外壁パネルの間に保持された状態においては、前記外壁パネルの端面に形成された突出部によって、前記ひれ部が屋外側から奥側に向かって押圧された状態となることを特徴とする乾式材。
【請求項２】
前記ひれ部は、端部に傾斜面を有しており、該傾斜面は屋外側に面していることを特徴とする、請求項１に記載の乾式材。
【請求項３】
互いに隣り合う２枚の前記外壁パネルの間に、請求項１又は２に記載の乾式材を保持してなることを特徴とする目地構造。
【請求項４】
前記突出部は、
前記目地の長手方向に対して垂直な断面の形状が略山形となるように、
屋外側の面である第一傾斜面と、奥側の面である第二傾斜面と、を有していることを特徴とする、請求項３に記載の目地構造。
【請求項５】
前記外壁パネルの表面から前記乾式材の表面までの深さは、前記第一傾斜面と前記第二傾斜面との境界部までの深さと略同一であることを特徴とする、請求項４に記載の目地構造。
【発明の詳細な説明】
【技術分野】
【０００１】
本発明は、互いに隣り合う２枚の外壁パネルの間に保持され、目地の一部となる乾式材、及び、これを用いた目地構造に関する。
【背景技術】
【０００２】
複数の外壁パネルを並べた構成の外壁においては、互いに隣り合う外壁パネルの間に目地が形成される。このような目地は、外壁パネルの間から内部に水が浸入することを防止するために、水密な構造とする必要がある。
【０００３】
下記特許文献１には、互いに隣り合う外壁パネルの間に形成された溝の内部に、例えば合成ゴムによって形成された紐状のガスケット（以下、「乾式材」と称する）を圧入して保持させてなる目地の構造が記載されている。
【０００４】
溝の内部に圧入された乾式材は弾性変形し、溝の両側壁面（すなわち、互いに対向している外壁パネルの端面）に対してそれぞれ密着した状態となっている。乾式材が溝を塞ぐことによって目地は水密な状態となっており、水や埃等が内部に侵入してしまうことが抑制されている。
【先行技術文献】
【特許文献】
【０００５】
【特許文献１】特開平６−２９９６１４号公報
【発明の概要】
【発明が解決しようとする課題】
【０００６】
ところで、外壁パネル間に形成される溝の幅、すなわち、隣り合う外壁パネル同士の間隔は、外壁パネルの寸法ばらつきや組み立てばらつきに起因して、一様に且つ厳密に設計値通りとすることが難しい。すなわち、建物を建築した直後においても、溝幅の一部が設計値よりも僅かに広くなっている場合や、狭くなっている場合が生じてしまう。
【０００７】
目地のうち溝幅が比較的広くなっている部分においては、外壁パネルの端面と乾式材との間の一部に隙間が空き、当該隙間から水や埃等が内部に侵入してしまう恐れがある。逆に、溝幅が比較的狭くなっている部分においては、乾式材が溝に収まりきれずに浮き上がってしまい、やはり水や埃等が内部に侵入してしまう恐れがある。
【０００８】
また、建物を建築した直後においては上記のような隙間が生じていない場合であっても、乾式材自体が経年劣化して変形し、これにより外壁パネルの端面と乾式材との間に隙間が生じてしまう可能性もある。
【０００９】
本発明はこのような課題に鑑みてなされたものであり、その目的は、外壁パネル間の溝幅がばらついている場合であっても、目地全体において外壁パネルの端面と乾式材とが密着している状態とすることができ、且つ、そのような状態を長期間にわたって維持することのできる乾式材、及び、これを用いた目地構造を提供することにある。
【課題を解決するための手段】
【００１０】
上記課題を解決するために、本発明に係る乾式材は、互いに隣り合う２枚の外壁パネルの間に保持され、目地の一部となる乾式材であって、その幅方向における両端部には、それぞれ、可撓性を有するひれ部が形成されており、２枚の前記外壁パネルの間に保持された状態においては、前記外壁パネルの端面に形成された突出部によって、前記ひれ部が屋外側から奥側に向かって押圧された状態となることを特徴としている。
【００１１】
本発明に係る乾式材は、例えば合成ゴムによって形成された定形の部材であって、互いに隣り合う２枚の外壁パネルの間に保持され、目地の一部となるものである。
【００１２】
乾式材のうちその幅方向における両端部には、それぞれ、可撓性を有するひれ部が形成されている。乾式材が２枚の外壁パネルの間に保持された状態においては、外壁パネルの端面に形成された突出部によって、ひれ部が屋外側から押圧された状態となる。換言すれば、本発明に係る乾式材は、目地側の端面に突出部が形成された外壁パネルの間に保持されることを前提とした形状となっている。
【００１３】
乾式材のひれ部が、突出部によって屋外側から押圧されるため、可撓性を有するひれ部は奥側に向かって弾性変形し、突出部に対して奥側から密着した状態となる。ひれ部と突出部との密着面は、目地の長手方向に沿って途切れることなく連続して形成される。その結果、ひれ部と突出部との間、すなわち、乾式材と外壁パネルとの間は水密な状態となり、水や埃等が内部に侵入してしまうことが抑制される。
【００１４】
また、外壁の外側（屋外側）から目地を見た場合においては、それぞれのひれ部が突出部によって覆われた状態となっている。このため、外壁パネル間に形成される溝の幅（目地の幅）が場所によってばらついている場合であっても、当該ばらつきは、ひれ部と突出部との重なり幅（乾式材のうち、突出部によって覆われている部分の面積といってもよい）が変化することによって吸収される。その結果、外壁パネルの端面と乾式材との間の一部に隙間が空いてしまうことや、乾式材が溝に収まりきれずに浮き上がってしまうことが抑制される。
【００１５】
以上のように、本発明に係る乾式材によれば、外壁パネル間の溝幅がばらついている場合であっても、目地全体において外壁パネルの端面と乾式材とが密着している状態とし、且つ、そのような状態を長期間にわたって維持することが可能となる。
【００１６】
また、本発明に係る乾式材では、前記ひれ部は、端部に傾斜面を有しており、該傾斜面は屋外側に面していることも好ましい。
【００１７】
この好ましい態様では、ひれ部の端部の傾斜面は、屋外側に面している。このため、ひれ部の端部が外壁パネルの表面に対して垂直に形成されたような場合に比べると、ひれ部と突出部とがより広い面積において密着しやすくなる。その結果、乾式材と外壁パネルとの間から水や埃等が内部に侵入してしまうことが更に抑制される。
【００１８】
また、本発明に係る目地構造では、前記突出部は、前記目地の長手方向に対して垂直な断面の形状が略山形となるように、屋外側の面である第一傾斜面と、奥側の面である第二傾斜面と、を有していることも好ましい。
【００１９】
この好ましい態様では、外壁パネルの端面に形成された突出部は、目地の長手方向に対して垂直な断面の形状が略山形となるように、屋外側の面である第一傾斜面と、奥側の面である第二傾斜面と、を有している。
【００２０】
乾式材を外壁パネルの間（溝）に嵌め込む際においては、溝の両側に形成されたそれぞれの第一傾斜面によって乾式材が案内されるため、乾式材をスムーズに嵌め込むことができる。また、乾式材が溝に嵌め込まれた後は、溝の両側に形成されたそれぞれの第二傾斜面によって乾式材（ひれ部）が奥側に向けて押さえつけられた状態となる。第二傾斜面は、その法線方向が溝の奥側且つ乾式材の中心側に向かうように傾斜した面であるから、乾式材（ひれ部）と第二傾斜面との密着部分（密着面）が、溝の長手方向に沿って途切れることなく形成されやすい。また、その密着面積は更に広いものとなる。その結果、乾式材（ひれ部）と突出部（第二傾斜面）との間は更に水密な状態となり、水や埃等の浸入が更に抑制される。
【００２１】
また、本発明に係る目地構造では、前記外壁パネルの表面から前記乾式材の表面までの深さは、前記第一傾斜面と前記第二傾斜面との境界部までの深さと略同一であることも好ましい。
【００２２】
外壁パネルの表面から乾式材の表面までの深さが深すぎる場合には、ひれ部と第二傾斜面とによって区画される空間が突出部の奥側に形成されてしまい、当該空間に埃等が堆積して外観が損なわれてしまう可能性がある。逆に、外壁パネルの表面から乾式材の表面までの深さが浅すぎる場合には、ひれ部を突出部の奥側に配置しようとすると乾式材の変形が大きくなり過ぎてしまい、やはり外観が損なわれてしまう
【００２３】
この好ましい態様では、外壁パネルの表面から乾式材の表面までの深さは、第一傾斜面と第二傾斜面との境界部までの深さと略同一である。このため、突出部の奥側には、ひれ部と第二傾斜面とによって区画される空間は形成されない。また、乾式材の変形が大きくなり過ぎてしまうこともない。その結果、水密な状態としながらも、意匠性の高い目地とすることができる。
【発明の効果】
【００２４】
本発明によれば、外壁パネル間の溝幅がばらついている場合であっても、目地全体において外壁パネルの端面と乾式材とが密着している状態とすることができ、且つ、そのような状態を長期間にわたって維持することのできる乾式材、及び、これを用いた目地構造を提供することができる。
【図面の簡単な説明】
【００２５】
【図１】本発明の実施形態に係る乾式材及び目地構造を示す断面図である。
【図２】図１に示した乾式材の形状を示す断面図である。
【図３】図１に示した目地を形成する際の手順を説明するための図である。
【発明を実施するための形態】
【００２６】
以下、添付図面を参照しながら本発明の実施の形態について説明する。説明の理解を容易にするため、各図面において同一の構成要素に対しては可能な限り同一の符号を付して、重複する説明は省略する。
【００２７】
図１は、本発明の実施形態に係る乾式材及びこれを含む目地構造を示す断面図である。目地１０は、複数の外壁パネルを並べることによって外壁を構成してなる建物において、互いに隣り合う外壁パネル１００ａ、１００ｂの間に形成されている。図１では、目地１０を水平面で切断した断面を描いており、外壁パネル１００ａのうち屋外側の面である表面Ｓａと、外壁パネル１００ｂのうち屋外側の面である表面Ｓｂとが、いずれも上方となるように描いている。目地１０の断面形状は、切断面の位置によらず略一様となっている。
【００２８】
外壁パネル１００ａ、１００ｂは、いずれもＡＬＣ（Autoclaved Light-weight Concrete；軽量気泡コンクリート）によって形成された板状の部材であり、それぞれの表面形状は矩形となっている。図１に示したように、外壁パネル１００ａ、１００ｂは、表面Ｓａと表面Ｓｂとが略同一平面上に位置するように配置されている。外壁パネル１００ａ、１００ｂの断面形状は、少なくとも目地１０近傍の部分（図１に示した部分）において、互いに左右対称となっている。このため、以下では、主に外壁パネル１００ａの形状について詳細な説明を行い、外壁パネル１００ｂの形状については説明を省略することがある。尚、ここでいう「左右」とは、目地１０を図１のように見た場合における左右のことである。
【００２９】
外壁パネル１００ａ、１００ｂは、それぞれ屋外側の一部が切り欠かれており、これにより両者の間に溝ＧＲが形成されている。溝ＧＲは、外壁パネル１００ａの端面（図１では右側の端面）の一部と、外壁パネル１００ｂの端面（図１では左側の端面）の一部とによって、その側壁面及び底面が区画されている。目地１０は、溝ＧＲの内部に乾式材３００が嵌め込まれた構成となっている。尚、以下の説明及び図１等でも明らかなように、ここでいう「端面」とは、表面Ｓａや表面Ｓｂに対して垂直な面に限定されるものではない。
【００３０】
外壁パネル１００ａの端面は、第一傾斜面１０１ａと、第二傾斜面１０２ａと、第一底面１０３ａと、垂直面１０４ａと、第二底面１０５ａと、対向面１０６ａとを有している。
【００３１】
第一傾斜面１０１ａは、表面Ｓａの端部から溝ＧＲの奥側（以下、単に「奥側」ともいう）に向かって伸びる面である。第一傾斜面１０１ａは、その法線方向が屋外側且つ外壁パネル１００ｂ側に向かう方向（すなわち、図１では右上方向）となるよう、表面Ｓａに対して傾斜した面となっている。
【００３２】
第二傾斜面１０２ａは、第一傾斜面１０１ａよりも奥側となる位置に形成された面である。第二傾斜面１０２ａは、その法線方向が奥側且つ外壁パネル１００ｂ側に向かう方向（すなわち、図１では右下方向）となるよう、表面Ｓａに対して傾斜した面となっている。このため、図１に示した断面においては、外壁パネル１００ａの端面の一部が、第一傾斜面１０１ａと第二傾斜面１０２ａとにより略山形の形状となっている。
【００３３】
本実施形態においては、第一傾斜面１０１ａと第二傾斜面１０２ａとの間には微小な垂直面ＴＳａ（表面Ｓａに対して垂直な面）が形成されている。垂直面ＴＳａは、外壁パネル１００ａの端面のうち、上記のように略山形の形状を成す部分の頂点に該当する。
【００３４】
第一底面１０３ａは、第二傾斜面１０２ａの奥側端部から外壁パネル１００ｂ側に向かって伸びる面である。第一底面１０３ａは、表面Ｓａに対して平行である。
【００３５】
垂直面１０４ａは、第一底面１０３ａのうち外壁パネル１００ｂ側の端部から奥側に向かって伸びる面である。垂直面１０４ａは、表面Ｓａに対して垂直であり、垂直面ＴＳａと同一平面上に形成されている。
【００３６】
第二底面１０５ａは、垂直面１０４ａの奥側端部から外壁パネル１００ｂ側に向かって伸びる面である。第二底面１０５ａは、表面Ｓａに対して平行である。
【００３７】
対向面１０６ａは、外壁パネル１００ａの端面のうち溝ＧＲよりも更に奥側の部分である。対向面１０６ａは、第二底面１０５ａのうち外壁パネル１００ｂ側の端部から奥側に向かって伸びており、表面Ｓａに対して垂直である。対向面１０６ａと、外壁パネル１００ｂの対向面１０６ｂとは、互いに近接した状態で対向している。対向面１０６ａと対向面１０６ｂとの間にはわずかな隙間が形成されている。
【００３８】
乾式材３００は紐状に形成された合成ゴムからなり、その長手方向が溝ＧＲの長手方向に沿った状態で、溝ＧＲの内部に配置されている。乾式材３００は、溝ＧＲのうち垂直面ＴＳａよりも奥側となる位置に配置されている。
【００３９】
既に説明したように、外壁パネル１００ａのうち目地１０側の端面は、第一傾斜面１０１ａと第二傾斜面１０２ａとによって略山形の形状を有している。換言すれば、略山形の形状を成す部分の頂点に該当する垂直面ＴＳａが、外壁パネル１００ｂ側に向かって突出するような形状となっている。同様に、外壁パネル１００ｂのうち目地１０側の端面は、第一傾斜面１０１ｂと第二傾斜面１０２ｂとによって略山形の形状を有している。換言すれば、略山形の形状を成す部分の頂点に該当する垂直面ＴＳｂが、外壁パネル１００ａ側に向かって突出するような形状となっている。
【００４０】
乾式材３００は、溝ＧＲの内部において、上記のように両側から突出する略山形の形状をなす部分と、第一底面１０３ａ、１０３ｂとの間に挟みこまれた状態で保持されている。つまり、乾式材３００のうち奥側の部分は第一底面１０３ａ、１０３ｂに対して当接しており、乾式材３００のうち屋外側（外壁パネル１００ａの表面Ｓａ側）の部分は、第二傾斜面１０２ａ、１０２ｂに対して奥側から当接している。
【００４１】
図１に示したように、乾式材３００の幅（図１における左右方向の寸法）は、垂直面ＴＳａと垂直面ＴＳｂとの間隔よりも大きい。このため、屋外側から目地１０を見た場合においては、乾式材３００のうち幅方向（図１では左右方向）における両端部のひれ部が、それぞれ、外壁パネル１００ａの端面の一部（第一傾斜面１０１ａ、第二傾斜面１０２ａ）及び外壁パネル１００ｂの端面の一部（第一傾斜面１０１ｂ、第二傾斜面１０２ｂ）によって覆われた状態となっている。
【００４２】
従って、溝ＧＲの幅が場所によってばらついている場合であっても、当該ばらつきは、乾式材３００と第一傾斜面１０１ａ等との重なり幅（乾式材３００のうち、第二傾斜面１０２ａ等によって覆われている部分の面積といってもよい）が変化することによって吸収される。その結果、外壁パネル１００ａ、１００ｂの端面と乾式材３００との間の一部に隙間が空いてしまうことや、乾式材３００が溝ＧＲに収まりきれずに浮き上がってしまうことが抑制される。
【００４３】
また、乾式材３００は、第二傾斜面１０２ａ及び第二傾斜面１０２ｂによって屋外側から奥側に向かって（図１では下方側に向かって）押さえつけられた状態となっており、これによる乾式材３００と第二傾斜面１０２ａ等との密着部分が、溝ＧＲの長手方向に沿って連続するように伸びている。その結果、乾式材３００と第二傾斜面１０２ａ等との間は水密な状態に維持されている。
【００４４】
以上のように、本実施形態に係る目地１０では、外壁パネル１００ａ、１００ｂ間に形成された溝ＧＲの幅がばらついている場合であっても、目地１０全体において、外壁パネル１００ａ、１００ｂの端面（第二傾斜面１０２ａ、第二傾斜面１０２ｂ）と乾式材３００とが密着している状態となっている。また、そのような状態を長期間にわたって維持することが可能となっている。
【００４５】
ここで、乾式材３００の具体的な形状について、図２を参照しながら説明する。図２は、乾式材３００の形状を示す断面図であって、乾式材３００をその長手方向に対して垂直な面で切断した場合の断面を示している。図２に示したように、乾式材３００の断面形状は左右対称である。尚、ここでいう「左右」とは、乾式材３００を図１及び図２のように見た場合における左右のことである。尚、以下の説明においては、図１の状態における乾式材３００から外壁パネル１００ａに向かう方向を「左方向」のように称することがあり、乾式材３００から外壁パネル１００ｂに向かう方向を「右方向」のように称することがある。
【００４６】
乾式材３００は、その左側面のうち屋外側の端部近傍から左方向に向かって延びる第一ひれ部３１０ａと、その右側面のうち屋外側の端部近傍から右方向に向かって延びる第一ひれ部３１０ｂと、を有している。図２に示したように、乾式材３００の屋外側の表面は全体が平坦面となっている。第一ひれ部３１０ａの屋外側の表面と、第一ひれ部３１０ｂの屋外側の表面とは、いずれも上記平坦面と同一平面内に配置されている。第一ひれ部３１０ａ、３１０ｂの厚さ（図２の上下方向における寸法）は、いずれも、乾式材３００の幅方向中央部における厚さよりも薄い。
【００４７】
乾式材３００は、更に、その左側面のうち奥側の端部近傍から左方向に向かって延びる第二ひれ部３２０ａと、その右側面のうち奥側の端部近傍から右方向に向かって延びる第二ひれ部３２０ｂと、を有している。第二ひれ部３２０ａ、３２０ｂの厚さは、いずれも、乾式材３００の幅方向中央部における厚さよりも薄い。
【００４８】
このように構成されているため、乾式材３００のうち左右両端の部分（第一ひれ部３１０ａ、３１０ｂ、第二ひれ部３２０ａ、３２０ｂ）は可撓性を有しており、圧縮された際において容易に変形することが可能となっている。その結果、乾式材３００を溝ＧＲの内部に嵌め込む際においては、両端部分が変形してスムーズに垂直面ＴＳａ、ＴＳｂを乗り越えることができる。すなわち、乾式材３００を溝ＧＲに嵌め込む作業が容易なものとなっている。
【００４９】
また、図１のように乾式材が溝ＧＲの内部に嵌め込まれた状態においては、第一ひれ部３１０ａが第二傾斜面１０２ａによって屋外側から押圧されるため、可撓性を有する第一ひれ部３１０ａは奥側に向かって弾性変形し、第二傾斜面１０２ａに対して奥側から密着した状態となる。第一ひれ部３１０ａと第二傾斜面１０２ａとの密着面は、目地１０の長手方向に沿って途切れることなく連続して形成される。その結果、第一ひれ部３１０ａと第二傾斜面１０２ａとの間、すなわち、乾式材３００と外壁パネル１００ａとの間は水密な状態となり、水や埃等が内部に侵入してしまうことが抑制される。
【００５０】
同様に、第一ひれ部３１０ｂが第二傾斜面１０２ｂによって屋外側から押圧されるため、可撓性を有する第一ひれ部３１０ｂは奥側に向かって弾性変形し、第二傾斜面１０２ｂに対して奥側から密着した状態となる。第一ひれ部３１０ｂと第二傾斜面１０２ｂとの密着面は、目地１０の長手方向に沿って途切れることなく連続して形成される。その結果、第一ひれ部３１０ｂと第二傾斜面１０２ｂとの間、すなわち、乾式材３００と外壁パネル１００ｂとの間も水密な状態となり、水や埃等が内部に侵入してしまうことが抑制される。
【００５１】
また、第一ひれ部３１０ａの左側端部の傾斜面３１１ａは、その法線方向が左上方向に向かうように傾斜している。このため、図１のように乾式材３００が溝ＧＲの内部に嵌め込まれた状態においては、左側端部の傾斜面３１１ａが第二傾斜面１０２ａに対して密着した状態となりやすく、その密着面積も大きくなる。その結果、目地１０の内部に水や埃等が侵入してしまうことが更に抑制されている。
【００５２】
同様に、第一ひれ部３１０ｂの右側端部の傾斜面３１１ｂは、その法線方向が右上方向に向かうように傾斜している。このため、図１のように乾式材３００が溝ＧＲの内部に嵌め込まれた状態においては、右側端部の傾斜面３１１ｂが第二傾斜面１０２ｂに対して密着した状態となりやすく、その密着面積も大きくなる。その結果、目地１０の内部に水や埃等が侵入してしまうことが更に抑制されている。
【００５３】
図１に示したように、本実施形態に係る目地１０では、表面Ｓａから乾式材３００の表面（屋外側の表面）までの深さは、垂直面ＴＳａの奥側端部までの深さと略同一である。すなわち、表面Ｓａから、第一傾斜面１０１ａと第二傾斜面１０２ａとの境界部（垂直面ＴＳａ）までの深さと略同一である。このため、溝ＧＲのうち垂直面ＴＳａよりも奥側の部分には、ひれ部と第二傾斜面とによって区画される空間は形成されない。また、第一ひれ部３１０ａ等の変形が大きくなり過ぎてしまうこともない。その結果、埃の蓄積や乾式材３００の変形によって目地１０の意匠性が低下してしまうことがない。
【００５４】
続いて、目地１０を形成する方法について説明する。まず、図３に示したように、ＡＬＣからなる外壁パネル１００ａ、１００ｂを図示しない鉄骨造建物に取り付けて、当該建物の外壁を構成する。既に説明したように、互いに隣り合う外壁パネル１００ａ、１００ｂは、表面Ｓａと表面Ｓｂとが略同一平面上に位置するように配置されている。また、対向面１０６ａと対向面１０６ｂとは、僅かに間を開けた状態で対向している。外壁パネル１００ａと外壁パネル１００ｂとの距離（対向面１０６ａと対向面１０６ｂとの距離）は、それぞれの寸法誤差や鉄骨造建物への取り付け誤差に起因して、所定の設計値よりも狭くなっている場合や、広くなっている場合がある。
【００５５】
続いて、乾式材３００を溝ＧＲの内部に嵌め込んで、図１の状態とする。具体的には、先ず乾式材３００の長手方向を溝ＧＲの長手方向と一致させた状態で、乾式材３００を第一傾斜面１０１ａ、第一傾斜面１０１ｂの両方に当接させた状態とする。すなわち、第二ひれ部３２０ａを第一傾斜面１０１ａに当接させ、第二ひれ部３２０ｂを第一傾斜面１０１ｂに当接させた状態とする。その後、専用のローラーによって乾式材３００を屋外側から押さえ付ける。乾式材３００は、第一傾斜面１０１ａ、第一傾斜面１０１ｂによって溝ＧＲの中央且つ奥側に向かうように案内される。
【００５６】
このとき、乾式材３００は、ローラーによって抑えつけられることによって変形し、垂直面ＴＳａ、ＴＳｂを乗り越えて奥側に移動する。最終的には、乾式材３００の全体が、溝ＧＲのうち垂直面ＴＳａ、ＴＳｂよりも奥側の空間に収容される。第二ひれ部３２０ａ、３２０ｂがそれぞれ第一底面１０３ａ、１０３ｂに当接し、第一ひれ部３１０ａ、３１０ｂ（左側端部の傾斜面３１１ａ、右側端部の傾斜面３１１ｂ）がそれぞれ第二傾斜面１０２ａ、１０２ｂに当接する。
【００５７】
本実施形態においては、溝ＧＲの内部のうち乾式材３００よりも奥側の部分、すなわち、垂直面１０４ａ、垂直面１０４ｂ、第二底面１０５ａ、第二底面１０５ｂにより区画された部分には、空間が形成されている。当該空間には、乾式材３００を嵌め込む前の時点において、例えば、ポリウレタン系の湿式材からなる湿式材を打設しておいてもよい。湿式材の打設により、目地１０を更に水密な構成とすることができる。また、湿式材が硬化した後は、乾式材３００は溝ＧＲの内部において強固に保持されることとなるため、溝ＧＲから外れてしまうことが抑制される。
【００５８】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００５９】
１０：目地
１００ａ，１００ｂ：外壁パネル
１０１ａ，１０１ｂ：第一傾斜面
１０２ａ，１０２ｂ：第二傾斜面
１０３ａ，１０３ｂ：第一底面
１０４ａ，１０４ｂ：垂直面
１０５ａ，１０５ｂ：第二底面
１０６ａ，１０６ｂ：対向面
３００：乾式材
３１０ａ，３１０ｂ：第一ひれ部
３１１ａ：左側端部の傾斜面
３１１ｂ：右側端部の傾斜面
３２０ａ，３２０ｂ：第二ひれ部
４００：湿式材
ＧＲ：溝
Ｓａ，Ｓｂ：表面
ＳＰａ，ＳＰｂ：空間
ＴＳａ，ＴＳｂ：垂直面
【図１】
2015025251.tif 000003
【図２】
2015025251.tif 000004
【図３】
2015025251.tif 000005